(57)【要約】【課題】  高層建築物等で垂直排水管へ水平排水管を合流させる場合の合成樹脂管継手において、火災による合成樹脂管継手の破損を防ぎ、かつ管路内の水流による騒音を軽減する。【解決手段】  上下端にそれぞれ受口５、８を持った垂直管部２に、それぞれ受口６、７を持った枝管部３、４を合流させ、その合流部１３の下方において内面に水流旋回用の螺旋形リブ１０を突設した合成樹脂製の管継手１の外周をコルク層１１で包み、更にその外側にセメント質耐火層１２を設けた。【選択図面】  図１【実用新案登録請求の範囲】
【請求項１】
上下端にそれぞれ流入用及び流出用の垂直排水管が接続される受口を有する垂直管部と、上記流入用垂直排出管受口の下方において上記垂直管部より略水平方向に分岐し先端に水平排水管が接続される受口を有する枝管部と、上記枝管部と流出用垂直排水管受口との間において上記垂直管部の内面に螺旋状に突設されている旋回用羽根とを有し、上記垂直管部及び枝管部は内側の合成樹脂層と外側のセメント質耐火層を有し、上記垂直管部の少なくとも上記枝管部分岐部分から下方の部分及び上記枝管部は上記合成樹脂層と上記セメント質耐火層との間にコルク層を有することを特徴とする合流用垂直管継手。
【請求項２】
請求項１において、上記垂直管部及び上記枝管部は内側の合成樹脂層と、この外面を包囲するコルク層と、更にその外側にモールド成型されたセメント質耐火層よりなることを特徴とする合流用垂直管継手。
【請求項３】
上下端にそれぞれ流入用及び流出用の垂直排水管が接続される受口を有する垂直管部と、上記流入用垂直排出管受口の下方において上記垂直管部より略水平方向に分岐し先端に水平排水管が接続される受口を有する枝管部と、上記枝管部と流出用垂直排水管受口との間において上記垂直管部の内面に螺旋状に突設されている旋回用羽根とを合成樹脂によって形成し、上記枝管部の分岐箇所よりも上方の上記垂直管部の外周に紙層を接着し、上記枝管部及び上記垂直管部の上記枝管分岐箇所から下方の部分の外周にコルク層を接着し、上記紙層及びコルク層の外面全体をセメント質耐火層で被覆してなる合流用垂直管継手。
【考案の詳細な説明】
【技術分野】
【０００１】
本考案は、耐火性被覆層を有する合成樹脂管の管継手にかゝり、特に高層建築における排水用垂直管に水平方向からの枝管を合流させるための管継手に関するものである。
【背景技術】
【０００２】
ビル等の排水管は、給水管と違って内部に水が充たされていないことが多いので、火災時に焼損し易い。また、垂直方向の排水管は内部を汚水が流下する際に騒音を発生する。そのために、合成樹脂管やその管継手の外面に紙その他の繊維物質層を設け、更にその外側をセメント質の耐火層で被覆することが行われている。このセメント質として、グラスウール、ロックウール等の鉱物繊維で補強されたものを用いることにより、耐火層の機械的強度を高め、地震等の強大な衝撃に際しても有効に内部の合成樹脂管や管継手を保護できるようになったが、騒音を防ぐ効果は十分でなく、建築物が高層になるほど騒音が増大する。
【０００３】
垂直排水管が発生する騒音は、これに水平方向からの枝管を合流させる箇所で強く発生する。また、垂直排水管内を落下する汚水流を旋回させることによって空気の巻込み等による騒音を軽減できるが、旋回を与えるために螺旋状の羽根を管内に設けるときは、この羽根の設置箇所で集中的に騒音が発生する。
【考案の開示】
【考案が解決しようとする課題】
【０００４】
従って、本考案は、垂直排水管の枝管合流箇所で発生する騒音を減らすと共に旋回用の羽根による騒音も同時に減らすこと、及び耐火性を維持しながら大きな遮音効果を有する被覆層を開発しようとするものである。
【課題を解決するための手段】
【０００５】
本考案による合流用垂直管継手は、上下端にそれぞれ流入用及び流出用の排水管が接続される受口を有する垂直管部と、上記流入用排水管受口の下方において略水平方向からの排水管が接続される合流管受口と、上記合流管受口と上記流出用排水管受口との間において上記垂直管部の内周面に螺旋状に設けた旋回羽根とを有し、これらは内側の合成樹脂層と外側のセメント質耐火層で形成され、その少なくとも上記合流管受口及びこれから下方の部分は上記合成樹脂層とセメント質耐火層との間にコルク層を有することを特徴とする。
【考案の効果】
【０００６】
上述の継手を垂直排水管への水平排水管の合流箇所に使用するときは、合流時に生ずる騒音及び螺旋状羽根に排水が衝突するときの騒音を、合成樹脂層とコルク層とセメント質耐火層との積層構造によって効果的に遮断することができ、継手より下方の垂直排水管内では管内を排水が旋回しながら流下するために騒音を減少させることができた。
【考案を実施するための最良の形態】
【０００７】
垂直排水管に合流する水平排水管の受口は、1方向、２方向、３方向など、所定の方向に設けることができる。そしてコルク層は継手全体にわたって合成樹脂層とセメント質耐火層との間に介在させることが望ましいが、合流管受口よりも上方の部分ではこれを省略してもよい。
【実施例】
【０００８】
図１において、１は合成樹脂製の管継手で、垂直管部２とこれに左右方向から合流する枝管部３、４を有し、垂直管部２の上端及び枝管部３、４の先端にはそれぞれ流入管の受口５、６、７が形成され、下端には流出管の受口８が形成されている。なお、上端の受口５はＶ字形断面のゴムパッキング９が支持されている。また、流出管受口８の上方の内面には複数枚の螺旋状に傾斜した水流旋回用の羽根１０、１０……が突設されている。
【０００９】
合成樹脂製管継手１の全周面には厚さ約１ｍｍのコルク板１１が接着され、更にこの上には厚さ５〜１０ｍｍの厚さのセメント質耐火層１２がモールド成型されている。
【００１０】
上述の管継手において、垂直管部２内を上方より排水が流下するときは気泡の巻込み等によって騒音を生じ、枝管部３または４より排水が流入するときは垂直管部２内の対向壁面や他の水流と衝突して騒音を発する。また、これらの水流が旋回用の羽根１０、１０……に衝突するときは、ここでも騒音を発生する。しかし本考案においては、管継手１のこれらの騒音発生箇所をコルク板１１及びセメント質耐火層１２によって包囲しているので、その騒音を遮断することができる。
【００１１】
管継手１を通過し受口８より流出管内へ移った排水は、羽根１０、１０……によって旋回が与えられているために管壁に沿って流下するので、空気の巻込みなどに起因する騒音を殆ど発生しない。従って各階ごとに本考案による管継手を用いた建築物の垂直排水管路では、騒音の発生の原因を作るのは管継手の箇所に限られるが、上述のようにその箇所をコルク板１１とセメント質耐火層１２で包囲しているために垂直排水管路の騒音を効果的に遮断することができる。
【００１２】
なお、上述のように本考案の管継手において騒音を発生しているのは、垂直管部２に枝管部３、４が合流する合流部１３と、その下方の旋回用の羽根１０、１０……の設置箇所とに限られているので、遮音効果に大きく寄与しているコルク板１１はこれらの箇所に使用し、垂直管部２における合流部１３よりも上方の部分では、コルク板１１の使用を省略することができる。即ち、コルク板１１の代わりにか紙層などを設け、その上にセメント質耐火層を設ければよい。
【図面の簡単な説明】
【００１３】
【図１】本考案の合流用垂直管継手の１実施例の縦断面図である。
【符号の説明】
【００１４】
１        合成樹脂製管継手
２        垂直管部
３、４    枝管部
５〜８    受口
１０      螺線形羽根
１１      コルク板
１２      セメント質耐火層
１３      合流部
【図１】
0003103045.tif 000002